(57)【要約】【課題】外部の機械的操作で所定の設定操作が行えるようにしても、不正行為の防止が十分に図れる制御装置の提供。【解決手段】スライダ41の反射鏡43で発光ダイオード44A, 45Aからの光を反射し、その反射光がフォトトランジスタ44B, 45Bに受光される受光経路を形成する受光位置、及び、その反射光がフォトトランジスタ44B, 45Bの受光範囲から逸脱する逸脱経路を形成する非受光位置の二位置の間を移動するようにスライダ41を形成する。これにより、主基板ケース22に開口を開けなくとも、スイッチ動作が行え、開口がなくなるので、細長い針金状の器具が挿入可能な隙間も形成されず、細長い針金状の器具による不正行為を十分に防止することができる。【選択図】    図６
2013165793.tif 000002
【特許請求の範囲】
【請求項１】
遊技機に設けられている装置の動作を制御する遊技機用の制御装置であって、
内外を仕切るための板状のパネル体を複数組み合わせることによって、箱状に形成された基板ケースと、
複数の電子素子を含んで構成された制御回路が形成されているとともに、前記基板ケースの内部に収納される制御回路基板と、
前記パネル体を透過可能な光線及び磁力線のいずれか一方からなる透過線を発生する線源部と、
前記基板ケースの前記パネル体の外側に移動可能に設けられ、移動することによって、前記線源部から発生した透過線の経路を変更させる経路変更手段と、
前記経路変更手段の移動によって透過線の経路が変更されたことを検出するとともに、透過線の経路変更を検出すると、所定の電気信号を出力する経路変更検出手段とを備えていることを特徴とする制御装置。
【請求項２】
前記線源部として、光線を発する発光素子が設けられ、
前記経路変更手段として、前記発光素子の発する光を反射する反射鏡を有するスライダが設けられ、
前記経路変更検出手段として、前記発光素子の発する光を受光すると、所定の電気信号を出力する受光素子が設けられ、
前記スライダは、前記発光素子からの光を反射し、その反射光が前記受光素子に受光される受光経路を形成する受光位置、及び、前記発光素子からの光を反射し、その反射光が前記受光素子の受光範囲から逸脱する逸脱経路を形成する非受光位置の二位置の間を移動可能に形成されていることを特徴とする請求項１記載の制御装置。
【発明の詳細な説明】
【技術分野】
【０００１】
本発明は、遊技機に設けられている装置の動作を制御する遊技機用の制御装置に関するものである。
【背景技術】
【０００２】
従来から、スロットマシンやパチンコ機等の遊技機は、遊技を行うのに必要な遊技装置、遊技装置の動作を制御する制御回路が設けられた制御装置、及び、遊技装置及び制御基板に電力を供給する電源装置等を備えたものとなっている。
このうち、制御装置は、遊技動作を制御するプログラムを記憶したＲＯＭ、及び、高速演算機能を有するＬＳＩ等からなるＣＰＵを備え、ＲＯＭに記憶されたプログラムをＣＰＵで実行するものとなっている。
このような制御装置は、ＲＯＭやＣＰＵが装着されたプリント基板である制御基板を有したものとなっている。
そして、制御基板は、真正のＲＯＭを入賞しやすい不正なプログラムを記憶した不正ＲＯＭに交換する等の不正行為を防止するために、箱状に形成された透明な合成樹脂製の基板ケースの内部に収納されている。
【０００３】
制御基板を収納する基板ケースとしては、一面が開口された箱状となっているとともに、制御基板が設置されるベース部と、このベース部に設置された制御基板の上方を覆う蓋部とを備えたものが一般的である。
そして、基板ケースは、内部に設置された制御基板を不正行為から保護するために、ベース部及び蓋部が相互にネジで接合され、さらに、ネジによる接合部分が、封止キャップで封印され、封印を破壊しなければ、ベース部及び蓋部を分離できず、当該基板ケースの開放が行えないようになっている。
【０００４】
ここで、遊技機の動作設定を変更するためのスイッチを制御基板に設け、基板ケースの一部にスイッチの操作部を基板ケースの外部に露出させる開口を設け、基板ケースを開けなくても、スイッチの操作部を機械的に操作して、遊技機の動作設定を変更できるようにした遊技機が知られている（例えば、特許文献１参照）。
また、制御基板に設けられた記憶素子の入力端子への電気的接続をＯＮ／ＯＦＦする押しボタンスイッチを当該制御基板に設け、基板ケースが閉じられていると、押しボタンスイッチが押圧状態となって、記憶素子の入力端子への電気的接続をＯＦＦ状態にするようにし、基板ケースを開けて、押しボタンスイッチの押圧状態を解除しなければ、制御基板に設けられた記憶素子の内容を書き換えられないようにした遊技機が知られている（例えば、特許文献２参照）。
【先行技術文献】
【特許文献】
【０００５】
【特許文献１】特開平５−３１７５０８号公報
【特許文献２】特開２００８−３０２０３６号公報
【発明の概要】
【発明が解決しようとする課題】
【０００６】
前述のような制御装置では、スイッチの操作部を露出させるために、基板ケースに開口を設けた場合、基板ケースに設けた開口の周縁部分と、スイッチの操作部との間に隙間が形成され、この隙間から細長い針金状の器具が挿入され、この器具によって制御基板が不正にアクセスされたり、スイッチが破壊されてスイッチの内部回路が短絡されたりする等の不正行為がなされるおそれがあり、不正行為の防止を十分に図ることができない。このため、外部の機械的操作で所定の設定操作が行えるようにしても、不正行為の防止が十分に図れるようにしたい、という要望がある。
なお、基板ケースが閉じられていると押圧状態となる押しボタンスイッチを設けた場合には、基板ケースを開けないと、押しボタンスイッチを機械的に操作することができす、基板ケースを閉じた状態では、スイッチとして機能しない。
【０００７】
本発明は、以上のような課題に鑑みてなされたものであり、その目的とするところは、外部の機械的操作で所定の設定操作が行えるようにしても、不正行為の防止が十分に図れる制御装置を提供することにある。
【課題を解決するための手段】
【０００８】
以下に説明する各発明は、上記した目的を達成するためになされたものであり、図面に示した発明の実施の形態を用いて、以下に説明する。
なお、以下の各構成要件には、説明の便宜上、実施の形態において用いた符号を付すが、これにより、本発明の技術的範囲を限定するものではない。
【０００９】
（請求項１）
請求項１に記載の発明は、次の点を特徴とする。
すなわち、請求項１記載の発明は、遊技機(１)に設けられている装置の動作を制御する遊技機用の制御装置(20)であって、内外を仕切るための板状のパネル体(24A,25A,25B) を複数組み合わせることによって、箱状に形成された基板ケース(22)と、複数の電子素子を含んで構成された制御回路が形成されているとともに、前記基板ケース(22)の内部に収納される制御回路基板(21)と、前記パネル体(24A,25A,25B) を透過可能な光線及び磁力線のいずれか一方からなる透過線を発生する線源部(44A,44B,51)と、前記基板ケース(22)の前記パネル体(24A,25A,25B) の外側に移動可能に設けられ、移動することによって、前記線源部(44A,44B,51)から発生した透過線の経路を変更させる経路変更手段(41, 51)と、前記経路変更手段(41, 51)の移動によって透過線の経路が変更されたことを検出するとともに、透過線の経路変更を検出すると、所定の電気信号を出力する経路変更検出手段(44B,45B,53)とを備えていることを特徴とする。
【００１０】
（請求項２）
請求項２記載の発明は、前述した請求項１記載の発明において、次の特徴点を備えているものである。
すなわち、請求項２記載の発明は、前記線源部として、光線を発する発光素子(44A, 45A)が設けられ、前記経路変更手段として、前記発光素子(44A, 45A)の発する光を反射する反射鏡(43)を有するスライダ(41)が設けられ、前記経路変更検出手段として、前記発光素子(44A, 45A)の発する光を受光すると、所定の電気信号を出力する受光素子(44B, 45B)が設けられ、前記スライダ(41)は、前記発光素子(44A, 45A)からの光を反射し、その反射光が前記受光素子(44B, 45B)に受光される受光経路を形成する受光位置、及び、前記発光素子(44A, 45A)からの光を反射し、その反射光が前記受光素子(44B, 45B)の受光範囲から逸脱する逸脱経路を形成する非受光位置の二位置の間を移動可能に形成されていることを特徴とする。
【発明の効果】
【００１１】
（請求項１の効果）
以上のように構成されている本発明は、以下に記載されるような効果を奏する。
すなわち、請求項１に記載の発明によれば、パネル体を透過可能な光線及び磁力線のいずれか一方からなる透過線を発生する線源部と、基板ケースのパネル体の外側に移動可能に設けられ、移動することによって、線源部から発生した透過線の経路を変更させる経路変更手段と、経路変更手段の移動によって透過線の経路が変更されたことを検出するとともに、透過線の経路変更を検出すると、所定の電気信号を出力する経路変更検出手段とを設けたので、外部の基板ケースにおいて経路変更手段に対して機械的操作を行い、経路変更手段を移動すると、経路変更手段の移動によって透過線の経路が変更され、この透過線の経路変更が経路変更検出手段によって検出され、さらに、透過線の経路変更を検出すると、検出経路変更検出手段は、所定の電気信号を出力し、この所定の電気信号に基づいて論理演算を行えば、制御基板で設定操作を行うことができる。
ここで、線源部から発生した透過線は、パネル体を透過するので、基板ケースに開口を設ける必要がなく、従って、細長い針金状の器具が挿入可能な隙間も形成されないので、細長い針金状の器具による不正行為を十分に防止できる。このため、外部の機械的操作で所定の設定操作が行えるようにしても、不正行為の防止を十分に図ることができ、これにより、前記目的が達成される。
【００１２】
（請求項２の効果）
請求項２記載の発明によれば、上記した請求項１記載の発明の効果に加え、次のような効果を奏する。
すなわち、線源部として、光線を発する発光素子を設け、経路変更手段として、発光素子の発する光を反射する反射鏡を有するスライダを設け、経路変更検出手段として、発光素子の発する光を受光すると、所定の電気信号を出力する受光素子を設け、発光素子からの光を反射し、その反射光が受光素子に受光される受光経路を形成する受光位置、及び、発光素子からの光を反射し、その反射光が受光素子の受光範囲から逸脱する逸脱経路を形成する非受光位置の二位置の間を移動するようにスライダを形成したので、スライダの移動によって光線の経路が変更され、スライダを移動して受光位置に配置すると、その反射光が受光素子に受光され、スライダを移動して逸脱位置に配置すると、その反射光が受光素子に受光されなくなり、これにより、光線の経路変更を受光素子で検出でき、受光素子の出力信号に基づいて論理演算を行えば、制御基板で設定操作を行うことができる。
ここで、発光素子から発生した光線は、透明なパネル体を透過するので、基板ケースに開口を設ける必要がなく、従って、細長い針金状の器具が挿入可能な隙間も形成されないので、細長い針金状の器具による不正行為を十分に防止できる。
【図面の簡単な説明】
【００１３】
【図１】本発明の一実施形態の全体を示す正面図である。
【図２】前記実施形態に係る筐体内部を示す正面図である。
【図３】前記実施形態に係る主基板ケースを示す斜視図である。
【図４】図３のIV−IV線における断面図である。
【図５】前記実施形態に係る主基板ケースの要部を示す拡大断面図である。
【図６】前記実施形態の動作を説明するための模式図である。
【図７】本発明の変形例の要部を示す断面図である。
【図８】本発明の異なる変形例の要部を示す斜視図である。
【発明を実施するための形態】
【００１４】
以下に、本発明を実施するための一形態である実施形態について、図面を参照しながら説明する。
（スロットマシン１の概要）
図１には、本発明の一実施形態に係る遊技機であるスロットマシン１が示されている。図１において、スロットマシン１は、三個の回転リール11の各々に記された複数種類の図柄が所定の組み合わせとなるように、回転している回転リール11を停止させる遊技を行うものである。
このスロットマシン１には、図１に示すように、当該スロットマシン１の各種装置を収納するとともに、正面形状が長方形となった筐体２が備えられている。
筐体２は、前面全体が開口された箱状の部材である。そして、筐体２の前面開口は、当該筐体２に回動可能に取り付けられた前扉３で塞がれるようになっている。なお、前扉３は、閉じられると、自動的に施錠されるようになっている。
また、筐体２及び前扉３の少なくとも一方には、前扉３が完全に閉鎖状態となったことを検出する、図示しない扉閉鎖検出センサが設けられている。この扉閉鎖検出センサは、前扉３が完全に閉鎖状態となると、電気信号としての扉閉鎖信号を後述する主制御基板21のＣＰＵへ送信するようになっている。
【００１５】
前扉３は、その前面をほぼ二分する上部パネル部４及び下部パネル部５を備えたものとなっている。そして、下部パネル部５の下方には、入賞時に払い出されるメダルを貯留する受皿部6Aが一体成形された受皿ユニット６が設けられている。また、また、上部パネル部４と下部パネル部５との間には、遊技に係る操作を行うための操作卓７が遊技者側に突出するように形成されている。
ここで、上部パネル部４及び下部パネル部５は、意匠的に優れた外観を確保するために、合成樹脂製の化粧板が表面に張り付けられたものとなっている。
【００１６】
（上部パネル部４）
上部パネル部４には、図１中、操作卓７の上方且つ幅方向の中央部分において長方形状に形成された表示窓4Aが設けられている。
ここで、筐体２内部に設けられた三個の回転リール11の各々は、その外周面に複数種類の図柄に記されている。そして、各回転リール11の図柄は、筐体２の外部から表示窓4Aを通して目視可能となっている。
【００１７】
上部パネル部４の上端縁部分には、正面形状が逆台形状に形成された演出用照明装置4Bが設けられている。この演出用照明装置4Bは、上部パネル部４の上端縁部分のほぼ中央に配置されている。演出用照明装置4Bの両端部は、上部パネル部４の角隅部分まで達することなく、その手前の位置で途切れたものとなっている。
また、上部パネル部４の上側における両角近傍には、正面形状が湾曲した帯状に形成されるとともに、漢数字の「八」を描く一対の演出用照明装置4Cが設けられている。これらの演出用照明装置4Cの各々は、その上端部が演出用照明装置4Bの端部近傍に配置されるとともに、その下端側の部分が上部パネル部４の側縁へ向かって斜め下方に延びたものとなっている。
【００１８】
さらに、上部パネル部４の両方の側縁には、演出用照明装置4Cの下端に接続された別の演出用照明装置4Dがそれぞれ設けられている。これらの演出用照明装置4Dの各々は、演出用照明装置4Cと同様に、上下方向に細長い帯状に形成されたものであり、演出用照明装置4Cの下端から、上部パネル部４の側縁に沿って延び、操作卓７の直近まで達するものとなっている。
これらの演出用照明装置4B〜4Dの各々は、無色透明なレンズの内部に配置された高輝度フルカラー発光ダイオード等の光源を備え、遊技の進行に応じて、その光源の点灯又は点滅により、遊技における視覚的な演出効果を高めるものである。
【００１９】
表示窓4A及び演出用照明装置4Bの間には、遊技の演出用画像を表示する液晶表示装置4Eが設けられている。この液晶表示装置4Eは、動画を含む様々な画像を、遊技の進行に応じて表示するものである。
液晶表示装置4Eの両側には、遊技に係る効果音を発生するスピーカを備えた音声出力部4Fがそれぞれ設けられている。
【００２０】
（操作卓７）
操作卓７は、遊技における操作に必要な各種のスイッチ類が配置されたものである。
すなわち、操作卓７における図１中右端の部分には、前扉３の施錠を解除するための鍵が挿入される鍵穴7Aが設けられている。この鍵穴7Aの左斜め上方には、メダルを投入するためのメダル投入口7Bが開口されたメダル投入部7Cが設けられている。
メダル投入口7Bの左斜め下方には、三個の回転リール11のそれぞれを停止させる際に操作される三個のストップスイッチ7Dが設けられている。これら三個のストップスイッチ7Dのうち、左端に配置されているストップスイッチ7Dの左斜め上方には、一度の操作で最大枚数のメダルを賭けることができるマックスベットスイッチ7Eが設けられている。
また、左端のストップスイッチ7Dの左方であって、マックスベットスイッチ7Eの左斜め下方の位置には、三個の回転リール11を一斉に回転させる際に操作されるスタートスイッチ7Fが設けられている。このスタートスイッチ7Fの左斜め上方には、１回の操作で貯留されているメダルを１枚賭けることのできる、換言すると、メダルを１枚ずつ賭ける際に操作されるベットスイッチ7Gが設けられている。
さらに、ベットスイッチ7Gの左斜め下方には、精算時に貯留されているメダルを払い出させる精算スイッチ7Hが設けられている。
【００２１】
（下部パネル部５及び受皿ユニット６）
下部パネル部５には、スロットマシン１のモデルタイプを表す象徴するキャラクター等が描かれたパネル5Aが設けられている。
また、下部パネル部５に設けられたパネル5Aにおける図１中左側及び右側には、上下方向に細長い帯状に形成された演出用照明装置5Bがそれぞれ設けられている。
受皿ユニット６には、メダルを貯留する前述の受皿部6Aに加えて、入賞時に受皿部6Aへ向かって払い出されるメダルを排出させるメダル払出口6Bと、遊技に係る効果音を発生するスピーカを備えた音声出力部6Cと、喫煙する遊技者の煙草の灰や吸殻を受けるための灰皿装置6Dとが設けられている。
【００２２】
（筐体２に収納されている内部装置）
次いで、筐体２の内部に設けられている内部装置について簡単に説明する。
筐体２の内部には、図２に示すように、スロットマシン１の遊技動作を制御するマイクロコンピュータからなるＣＰＵを備えた主制御基板21を内蔵する主基板ケース22、三個の回転リール11が回転自在に支持するとともに、これらの回転リール11のそれぞれを駆動する図示しないモータを備えたリールユニット10、内部に多数のメダルを貯留させる容器部12Aを備えるとともに受皿部6Aに向かってメダルを排出するホッパユニット12、及び、これらの装置に電力を供給する電源装置13等が設けられている。
【００２３】
このうち、主制御基板21は、複数の電子素子を含んで構成された制御回路が形成されているとともに、主基板ケース22の内部に収納される制御回路基板となっている。
また、リールユニット10は、それぞれが円筒状に形成された複数の回転リール11を有するものである。そして、これらの回転リール11の各外周面には、特に図示していないが、複数種類の図柄が記されている。
【００２４】
前扉３の裏側の面には、表側の面に配置された液晶表示装置4Eに対応して、液晶表示装置4E、演出用照明装置4B〜4D及び音声出力部4F, 6Cの動作を制御する副制御基板31を内蔵する副基板ケース32が設けられている。
また、前扉３の裏側の面には、表側の面に開口されたメダル投入口7Bに対応して、投入されたメダルの適否を判定するメダルセレクタ14が設けられている。
以上において、主制御基板21及び主基板ケース22は、スロットマシン１に設けられているリールユニット10及びホッパユニット12等の装置の動作を制御する遊技機用の制御装置である主制御装置20を形成するものである。
また、副制御基板31及び副基板ケース32は、液晶表示装置4E及び演出用照明装置4B〜4D等の演出用装置の動作を制御する制御装置である副制御装置30を形成するものである。
【００２５】
（主制御装置20）
続いて、主制御装置20について説明する。
図３及び図４において、主制御装置20は、前述したように、箱状に形成された主基板ケース22と、この主基板ケース22の内蔵された主制御基板21とを備えたものである。
また、主制御装置20は、図３に示すように、図３中上下方向の長さ寸法が主基板ケース22よりも大きい平板状に形成された取付ベース23を備えており、この取付ベース23を介して主基板ケース22が筐体２の背面に取り付けられるようになっている。
【００２６】
ここで、主基板ケース22は、無色透明の合成樹脂からなる箱状成形品である。具体的に説明すると、主基板ケース22は、内外を仕切るための板状のパネル体24A,25A,25B を複数組み合わせることによって、箱状に形成されたものである。
すなわち、主基板ケース22には、図４に示すように、主制御基板21が取り付けられているベース部24と、このベース部24の主制御基板21が取り付けられた面を覆うために、ベース部24側の面が開口された略箱状の蓋部25とが備えられている。
ベース部24及び蓋部25は、図３の如く、蓋部25の四隅に形成された凹部26の底部を貫通するとともに、ベース部24に螺合する図示しないネジで相互に接合されている。そして、ベース部24及び蓋部25を相互に接合しているネジは、凹部26に嵌合されたカシメ27によって封印されるようになっている。
【００２７】
ベース部24は、図４の如く、全体がほぼ長方形の平板状に形成された底部パネル体24A を有するものである。この底部パネル体24A の周縁部分及び中央部分には、主制御基板21を支持する突条24B 及び突起24C が形成されている。
これら突条24B 及び突起24C によって、主制御基板21は、底部パネル体24A から離間した状態で、ベース部24に取り付けられている。
【００２８】
蓋部25は、図４の如く、全体がほぼ長方形の平板状に形成された天井パネル体25A と、この天井パネル体25A の四つの側縁からベース部24へ向かって延びる四つの側壁パネル体25B とを備えた箱状の部材である。
蓋部25の天井パネル体25A におけるほぼ中央部分には、表側の面がベース部24へ向かって凹んだ凹部25C が形成されている。
【００２９】
（設定変更スイッチ20A） 
この凹部25C には、スロットマシン１の遊技における設定変更操作を行うための設定変更スイッチ20A が設けられている。
すなわち、凹部25C の底部には、図４及び図５に示すように、指先等で操作される操作突起41A を備えたスライダ41と、このスライダ41が内部に配置されているとともに、当該スライダ41を図５中上下に摺動可能に保持するガイド部42とが設けられている。
スライダ41は、ベース部24に対向する面が反射鏡43となったものである。
ガイド部42は、スライダ41の操作突起41A を外部へ突出させる図示しないスリットと、内部に配置されているスライダ41が上方へ抜けないように抜け止めする図示しない係止部とを有するものとなっている。
【００３０】
一方、主制御基板21には、蓋部25側の凹部25C に対向する位置に配置された二つのフォトインターラプタ44, 45が設けられている。
フォトインターラプタ44, 45のうち、フォトインターラプタ44は、蓋部25側のガイド部42の図５中下方の端部近傍に配置され、フォトインターラプタ45は、ガイド部42の図５中上方の端部近傍に配置されている。
フォトインターラプタ44, 45の各々は、光線を発する発光素子としての発光ダイオード44A, 45Aと、発光ダイオード44A, 45Aの発する光を受光するフォトトランジスタ44B, 45Bとを備えている。
フォトトランジスタ44B は、発光ダイオード44A の図５中下方に配置されとともに、発光ダイオード44A からの光を受光すると、所定の電気信号を出力するものである。
フォトトランジスタ45B は、フォトトランジスタ44B と同様の構成を有するもので、発光ダイオード45A の図５中下方に配置されとともに、発光ダイオード45A からの光を受光すると、所定の電気信号を出力するものである。
【００３１】
ここにおいて、発光ダイオード44A, 45Aは、パネル体としての天井パネル体25A を透過可能な光線を透過線として発生する線源部となっている。
また、スライダ41の反射鏡43は、発光ダイオード44A, 45Aの発する光を反射するものである。そして、スライダ41は、発光ダイオード44A, 45Aの発する光を反射する反射鏡43を有するものであり、このスライダ41が経路変更手段となっている。
【００３２】
すなわち、スライダ41は、ガイド部42の図５中上方の端部近傍に配置されているときは、フォトインターラプタ45に対して、発光ダイオード45A の発する光を反射鏡43で反射することで、発光ダイオード45A の発する光をフォトトランジスタ45B に受光させる経路を形成するものとなっている一方、ガイド部42の図５中下方の端部近傍に配置されているときは、発光ダイオード45A の発する光を反射鏡43で反射させた反射光が、フォトトランジスタ45B に到達しない経路を形成するようになっている。
【００３３】
一方、スライダ41は、ガイド部42の図５中下方の端部近傍に配置されているときは、フォトインターラプタ44に対して、発光ダイオード44A の発する光を反射鏡43で反射することで、発光ダイオード44A の発する光をフォトトランジスタ44B に受光させる経路を形成する一方、ガイド部42の図５中上方の端部近傍に配置されているときは、発光ダイオード44A の発する光を反射鏡43で反射させた反射光がフォトトランジスタ44B に到達しない経路を形成するようになっている。
【００３４】
要するに、スライダ41は、発光ダイオード44A, 45Aからの光を反射し、その反射光がフォトトランジスタ44B, 45Bに受光される受光経路を形成する受光位置、及び、発光ダイオード44A, 45Aからの光を反射し、その反射光がフォトトランジスタ44B, 45Bの受光範囲から逸脱する逸脱経路を形成する非受光位置の二位置の間を移動可能に形成されている。
以上において、スライダ41は、主基板ケース22の天井パネル体25A の外側に移動可能に設けられ、移動することによって、発光ダイオード44A, 45Aから発生した光線の経路を変更させる経路変更手段となっている。
【００３５】
また、フォトトランジスタ44B, 45Bは、スライダ41の移動によって発光ダイオード44A, 45Aからの光線の経路が変更され、光線の経路変更によって、それまで受光していなかった光線を受光するようになると、所定の電気信号を出力するようになっている。
換言すると、フォトトランジスタ44B, 45Bは、光線の経路変更を受光によって検出するとともに、光線の経路変更を検出すると、所定の電気信号を出力するものである。
ここにおいて、フォトトランジスタ44B, 45Bは、光線の経路の変更を検出するとともに、光線の経路の変更を検出すると、所定の電気信号を出力する経路変更検出手段となっている。
【００３６】
この際、主基板ケース22のＣＰＵは、前扉３が完全に閉鎖状態となり、図示しない扉閉鎖検出センサから扉閉鎖信号を受信すると、フォトトランジスタ44B, 45Bから所定の電気信号が出力されているか否かを読み取り、この読み取り結果に基づいて、設定変更スイッチ20A の設定状態を判定するようになっている。
これにより、照明が点灯した明るい室内にスロットマシン１が設置され、フォトトランジスタ44B, 45Bが照明の光を受光して動作するおそれがあっても、前扉３が閉鎖状態となり、照明の光を遮断した状態で、フォトトランジスタ44B, 45Bの電気信号出力を読み取るので、照明の光によるフォトトランジスタ44B, 45Bの誤動作を自動的に排除することができる。
【００３７】
以下に、図６を参照しながら、本実施形態に係る設定変更スイッチ20A の動作について説明する。
前述したように、凹部25C の内部を摺動可能に設けられたスライダ41は、図６示すように、凹部25C の内部に設定された「大」、「中」及び「小」の三つの位置のいずれかに任意に停止可能となっている。
図６（Ａ）に示すように、「大」の位置に配置されているスライダ41は、フォトインターラプタ45に対しては、スライダ41の反射鏡43が発光ダイオード45A からの光を反射し、その反射光がフォトトランジスタ45B に受光される受光経路を形成する。
この「大」の位置は、フォトインターラプタ45にとっては受光位置となる。
【００３８】
また、「大」の位置に配置されているスライダ41は、フォトインターラプタ44に対しては、スライダ41の反射鏡43が発光ダイオード44A からの光を反射し、その反射光がフォトトランジスタ44B の受光範囲から逸脱する逸脱経路を形成する。
なお、図６（Ａ）では、発光ダイオード44A の発する光は、スライダ41とは反対の方向へ放射され、スライダ41の反射鏡43に到達しないように記されている。また、発光ダイオード44A の発する光の一部がスライダ41に向かった放射されていても、当該光の一部は、フォトトランジスタ44B の受光範囲から逸脱する。
この「大」の位置は、フォトインターラプタ44にとっては非受光位置となる。
【００３９】
図６（Ｂ）に示すように、「中」の位置に配置されているスライダ41は、フォトインターラプタ45に対しては、スライダ41の反射鏡43が発光ダイオード45A からの光を反射し、その反射光がフォトトランジスタ45B の受光範囲から逸脱する逸脱経路を形成する。
また、「中」の位置に配置されているスライダ41は、フォトインターラプタ44に対しては、スライダ41の反射鏡43が発光ダイオード44A からの光を反射し、その反射光がフォトトランジスタ44B の受光範囲から逸脱する逸脱経路を形成する。
この「中」の位置は、フォトインターラプタ44, 45のいずれにとっても非受光位置となる。
【００４０】
図６（Ｃ）に示すように、「小」の位置に配置されているスライダ41は、フォトインターラプタ45に対しては、スライダ41の反射鏡43が発光ダイオード45A からの光を反射し、その反射光がフォトトランジスタ45B の受光範囲から逸脱する逸脱経路を形成する。
この「小」の位置は、フォトインターラプタ45にとっては非受光位置となる。
また、「小」の位置に配置されているスライダ41は、フォトインターラプタ44に対しては、スライダ41の反射鏡43が発光ダイオード44A からの光を反射し、その反射光がフォトトランジスタ44B に受光される受光経路を形成する。
この「小」の位置は、フォトインターラプタ44にとっては受光位置となる。
【００４１】
このような設定変更スイッチ20A は、例えば、打ち止め無しの設定、及び、打ち止めありの設定の一方から他方へ切り替える打ち止め設定変更操作スイッチとして、あるいは、自動精算を行うか否かを設定する、換言すると、自動精算を行う設定、及び、自動精算を行わない設定の一方から他方へ自動精算設定変更操作スイッチ等として利用できる。
ここで、設定変更スイッチ20A を打ち止め設定変更操作スイッチとする場合、「大」の位置を打ち止めありの設定位置とし、「中」の位置及び「小」の位置の両方を打ち止め無しの設定位置とすることができる。
また、設定変更スイッチ20A を自動精算設定変更操作スイッチとする場合、「大」の位置を、自動精算を行う設定位置とし、「中」の位置及び「小」の位置の両方を、自動精算を行わない設定位置とすることができる。
【００４２】
前述のような本実施形態によれば、次のような効果が得られる。
すなわち、光線を発する発光ダイオード44A, 45Aと、発光ダイオード44A, 45Aの発する光を反射する反射鏡43を有するスライダ41と、発光ダイオード44A, 45Aの発する光を受光すると、所定の電気信号を出力するフォトトランジスタ44B, 45Bとを設け、発光ダイオード44A, 45Aからの光を反射し、その反射光がフォトトランジスタ44B, 45Bに受光される受光経路を形成する受光位置、及び、発光ダイオード44A, 45Aからの光を反射し、その反射光がフォトトランジスタ44B, 45Bの受光範囲から逸脱する逸脱経路を形成する非受光位置の二位置の間を移動するようにスライダ41を形成したので、スライダ41の移動によって光線の経路が変更され、スライダ41を移動して受光位置に配置すると、その反射光がフォトトランジスタ44B, 45Bに受光され、スライダを移動して逸脱位置に配置すると、その反射光がフォトトランジスタ44B, 45Bに受光されなくなり、これにより、光線の経路変更をフォトトランジスタ44B, 45Bで検出でき、フォトトランジスタ44B, 45Bの出力信号に基づいて論理演算を行えば、主制御基板21で設定操作を行うことができる。
ここで、発光ダイオード44A, 45Aから発生した光線は、透明な天井パネル体25A を透過するので、主基板ケース22に開口を設ける必要がなく、従って、細長い針金状の器具が挿入可能な隙間も形成されないので、細長い針金状の器具による不正行為を十分に防止することができる。
【００４３】
また、フォトインターラプタ44, 45をスライダ41の摺動領域の端部にそれぞれ設け、スライダ41の摺動領域の中間位置にスライダ41が配置されているときは、フォトインターラプタ44, 45のそれぞれに設けられているフォトトランジスタ44B, 45Bのいずれもが光線を受光できない位置を設けたので、フォトインターラプタ44のフォトトランジスタ44B のみが受光する位置、フォトインターラプタ44, 45の両方のフォトトランジスタ44B, 45Bが受光できない位置、及び、フォトインターラプタ45のフォトトランジスタ45B のみが受光する位置の三つの異なるスイッチ状態を形成でき、一個のスイッチ20A で三段階の設定を行うことができる。
【００４４】
なお、本発明は、前記実施形態に限定されるものではなく、本発明の目的を達成できる範囲における変形及び改良などをも含むものである。
例えば、前記実施形態では、透過線を発生する線源部として、光線を発する発光ダイオードを採用したが、これに限らず、磁力線を発する永久磁石を採用してもよい。
この場合、図７に示すように、棒状の永久磁石51と、三つの突起52A〜52Cを有する山形の鉄心52と、ホール素子等の磁界検出センサ53とを設け、突起52A〜52Cの間隔を永久磁石51の長さに対応させておくとともに、中央の突起52B の頂部に磁界検出センサ53を設置しておく。
【００４５】
このようにすれば、Ｓ極が突起52A の真上に配置される位置に永久磁石51を配置すると、図７の如く、永久磁石51のＮ極が突起52B の真上に配置され、磁界検出センサ53に図７中下向きの磁力線が流れ、Ｎ極が突起52C の真上に配置される位置に永久磁石51を配置すると、今度は、永久磁石51のＳ極が突起52B の真上に配置され、磁界検出センサ53に図７中上向きの磁力線が流れる。
ここにおいて、永久磁石51は、図７の如く、パネル体54を透過可能な磁力線からなる透過線を発生する線源部と、基板ケース55のパネル体54の外側に移動可能に設けられ、移動することによって、線源部から発生した透過線の経路を変更させる経路変更手段との両方を構成するものとなっている。
【００４６】
また、前記実施形態では、経路変更手段として、所定の範囲を直線的に往復移動するスライダ41を採用したが、これに限らず、図８に示すように、回動可能に設けられるとともに、それ自体の回動によって底面に設けられた反射鏡43を回動させるノブ46を採用することもできる。
さらに、前記実施形態では、設定変更スイッチ20A の設置対象を主制御装置20としたが、これに限らず、設定変更スイッチ20A は、副制御装置30に設置にしてもよい。
また、遊技機としては、スロットマシンに限らず、遊技場に設置されるパチンコ機等の弾球遊技機でもよく、本発明は、制御基板に不正行為がなされるおそれのある制御装置を有する遊技機全般に適用することができる。
【符号の説明】
【００４７】
1        遊技機としてのスロットマシン
20        制御装置としての主制御装置
21        制御回路基板としての主制御基板
22        基板ケースとしての主基板ケース
24A       パネル体としての底部パネル体
25A       パネル体としての天井パネル体
25B       パネル体としての側壁パネル体
41        経路変更手段としてのスライダ
43        反射鏡
44A, 45A  線源部としての発光素子である発光ダイオード
44B, 45B  経路変更検出手段としての受光素子であるフォトトランジスタ
51        線源部及び経路変更手段としての永久磁石
【図１】
2013165793.tif 000003
【図２】
2013165793.tif 000004
【図３】
2013165793.tif 000005
【図４】
2013165793.tif 000006
【図５】
2013165793.tif 000007
【図６】
2013165793.tif 000008
【図７】
2013165793.tif 000009
【図８】
2013165793.tif 000010